(57)【要約】【課題】台等に置いた状態で使用する際に疲れずに確実に握持できる魚釣用リールを提供すること。【解決手段】魚釣用リール４は、リール本体５と前記リール本体に設けられ電動モータ４４を介して釣糸３５を巻き取る方向に駆動されるスプール３４とを有する。リール本体５は、載置面３ａの上に置かれる底壁９と、手を載せる上面６ａとを有し、前後方向および左右幅方向が規定される。リール本体は、前側および後側の左右幅Ｗ１，Ｗ２よりも前記リール本体の前後方向中央側の左右幅Ｗ３が幅狭に形成されている。【選択図】    図３
2010154781.tif 000002
【特許請求の範囲】
【請求項１】
載置面の上に置かれる底部と、手を載せる上面とを有し、前後方向および左右幅方向が規定されるリール本体と、
前記リール本体に設けられ、電動モータを介して釣糸を巻き取る方向に駆動されるスプールと
を具備し、
前記リール本体の前側および後側の左右幅よりも前記リール本体の前後方向中央側の左右幅を幅狭に形成したことを特徴とする魚釣用リール。
【請求項２】
前記リール本体は、前記幅狭の左右幅方向に凹む窪み部を有する側面を備えていることを特徴とする請求項１に記載の魚釣用リール。
【請求項３】
前記窪み部は、前記リール本体の前後方向の前側および後側から中央側に向かって前記幅狭の左右幅方向に徐々に深くなるように形成されていることを特徴とする請求項２に記載の魚釣用リール。
【請求項４】
前記窪み部は、前記リール本体の底部に延設されていることを特徴とする請求項２もしくは請求項３に記載の魚釣用リール。
【請求項５】
前記リール本体の上面に、前後方向中央側から後側に下る後側傾斜部が形成されていることを特徴とする請求項１から請求項４のいずれか１に記載の魚釣用リール。
【請求項６】
前記リール本体の前後方向中央もしくはそれよりも後方側に重心を配置したことを特徴とする請求項１ないし請求項５のいずれか１に記載の魚釣用リール。
【発明の詳細な説明】
【技術分野】
【０００１】
本発明は、電動モータにより駆動されるスプールを備えた魚釣用リールに関する。
【背景技術】
【０００２】
従来から、釣り人は一方の手で釣竿のグリップを握って保持し、魚が掛かったときは他方の手で釣竿に取り付けたリールを操作して手動または電動で釣糸を巻き取っている。近年では、例えば結氷した湖の上で行うワカサギの穴釣りやボート釣り等においては、常時釣竿を手で保持するのではなく、リールに短い釣竿を取り付け、リールを台の上に載置した状態で釣りを行うようになってきている。  
例えば、特許文献１には、板状体の上にスプールを設けた載置可能なワカサギ釣り用電動リールが開示されている。
【特許文献１】特開２０００−４７２６号公報
【発明の開示】
【発明が解決しようとする課題】
【０００３】
しかしながら、特許文献１に開示されたリールを載置して使用する場合、手の置き場が無いため、リールを置いた状態で手を添えずにスイッチのみ操作するが、魚のアタリに対して素早い操作をすることが難しい。このようなリールを握持して持ち上げる場合、リールや板の側面を握るようにしながら操作をすることとなるが、台の上に置いたリールや板の側面を握持することは不自然で疲れてしまい、リールを持ち上げるには掴み所がないため、確実に保持できず、この状態を長く続けて釣りをすることは困難である。
【０００４】
本発明の目的は、台等に置いた状態で使用する際に疲れずに確実に握持できる魚釣用リールを提供することにある。
【課題を解決するための手段】
【０００５】
本発明に係る魚釣用リールは、載置面の上に置かれる底部と手を載せる上面とを有し前後方向および左右幅方向が規定されるリール本体と、前記リール本体に設けられ電動モータを介して釣糸を巻き取る方向に駆動されるスプールとを備え、前記リール本体の前側および後側の左右幅よりも前記リール本体の前後方向中央側の左右幅を幅狭に形成したことを特徴とする。
【０００６】
前記リール本体は、前記幅狭の左右幅方向に凹む窪み部を有する側面を備えていることが好ましい。  
前記窪み部は、前記リール本体の前後方向の前側および後側から中央側に向かって前記幅狭の左右幅方向に徐々に深くなるように形成されていることが好ましい。  
前記窪み部は、前記リール本体の底部に延設されていることが好ましい。  
前記リール本体の上面に、前後方向中央側から後側に下る後側傾斜部が形成されていることが好ましい。  
前記リール本体の前後方向中央もしくはそれよりも後方側に重心を配置したことが好ましい。
【発明の効果】
【０００７】
リール本体の前側および後側の左右幅よりもリール本体の前後方向中央側の左右幅を幅狭に形成したことにより、後端側に右手又は左手の掌を載せた状態で例えば親指、薬指、小指を使って魚釣用リールを保持する際に魚釣用リールを包み込むように保持できるので、保持し易い。したがって、魚釣用リールを保持する際に疲労を防止し、確実に握持し続けることができる。
【０００８】
リール本体に、左右幅方向に凹む窪み部を有する側面を形成したことにより、窪み部に例えば親指、薬指、小指を宛がって魚釣用リールを握持できるので、保持し易い。  
窪み部がリール本体の前後方向の前側および後側から中央側に向かって徐々に深くなるように形成されているので、窪み部は滑らかな曲面状に形成されており、魚釣用リールの握持の際に窪み部の何れの位置に指を宛がっても指の指腹（指球）が窪み部の形状に合致して握り易い。  
窪み部がリール本体の底部に延設されていることによって、リール本体の上面に掌を当てた手の指を底部まで回して差し入れて魚釣用リールを確実に握持できる。  
リール本体の上面に、前後方向中央側から後側に下る後側傾斜部が形成されていることによって、リール本体の上面に当てた掌とリール本体上面後端側の傾斜部が合致して魚釣用リールを確実に握持し易い。  
重心をリール本体の前後方向中央もしくはそれよりも後方側に配置したことによって、重心がリール本体の幅方向の幅狭部分と一致、又は略一致し、握持した魚釣用リールを持ち上げたときにバランスが良い。
【発明を実施するための最良の形態】
【０００９】
以下、本発明の一実施の形態を、図１ないし図１１に基づいて説明する。  
図１に示すように、例えば結氷した湖面１に穴２を開けてワカサギを釣る、いわゆる穴釣りでは、結氷した湖面１の上に釣用の台３を据え付けている。台３は、載置面としての平坦な上面３ａを有している。釣人は、台３の上面３ａの上に魚釣用リール４を置くとともに、この魚釣用リール４を右手Ｈ又は左手Ｈで掴んで操作することによりワカサギを釣り上げる。
【００１０】
図１から図３に示すように、魚釣用リール４は、リール本体５を備えている。リール本体５は、その外郭を構成する筐体６を有している。筐体６は、例えばＡＢＳ樹脂、ポリカーボーネートのような合成樹脂材料により形成されている。
【００１１】
筐体６は、前後方向と幅方向とを有する略箱形であり、釣人が右手Ｈ又は左手Ｈで掴むことができる程度の大きさを有している。図２に示すように、筐体６は、ロアケース７とトップカバー８とで構成されている。ロアケース７は、底壁（底部）９と、底壁９の左右の側縁から起立する側壁１０ａ，１０ｂと、底壁９の前端から立ち上がる前壁１１と、底壁９の後端から立ち上がる後壁１２とを有している。トップカバー８は、底壁９と向かい合うようにロアケース７に被せられている。トップカバー８の外周縁は、側壁１０ａ，１０ｂの上縁、前壁１１の上縁および後壁１２の上縁に連続している。
【００１２】
トップカバー８は、ねじ止めあるいは嵌め込み等の手段によりロアケース７に固定されて、ロアケース７との間にモータ収容室１３を規定している。さらに、ロアケース７の底壁９にバッテリ収容部１４が形成されている。バッテリ収容部１４は、モータ収容室１３内に張り出すとともに、ロアケース７の下方に開口する凹みで構成されている。バッテリ収容部１４の開口端は、取り外し可能なバッテリカバー１５で閉じられている。
【００１３】
筐体６は、一対の脚１６ａ，１６ｂを有している。脚１６ａ，１６ｂは、例えば筐体６よりも柔らかいゴム状弾性体で形成されている。脚１６ａ，１６ｂは、ロアケース７の底壁９に固定されているとともに、リール本体５の前後方向に互いに離れている。脚１６ａ，１６ｂは、リール本体５を台３の上に置いたときに、台３の上面３ａに接触する接地部（滑り止め）として機能する。
【００１４】
図２および図３に示すように、トップカバー８は、筐体６の上面６ａを構成している。上面６ａは、釣人が魚釣用リール４を操作する際に右手Ｈ又は左手Ｈを載せる部分であって、リール本体５の上方に露出している。上面６ａは、第１の領域１７および第２の領域１８を有している。
【００１５】
第１の領域１７は、釣人がリール本体５を右手Ｈ又は左手Ｈで掴んだときに、掌Ｐを受ける部分であり、筐体６の前後方向に沿う中間部１９よりも後方に位置している。第２の領域１８は、釣人がリール本体５を右手Ｈ又は左手Ｈで掴んだときに、人指し指Ｈ２および中指Ｈ３を載置する部分であり、筐体６の中間部１９よりも前方に位置している。
【００１６】
図４に示すように、第１の領域１７は、筐体６の後端から筐体６の中間部１９の方向（前側）に進むに従い上向きに傾斜するとともに、筐体６の上方に凸となるように筐体６の前後方向に沿って滑らかな円弧を描いて湾曲する曲面となっている。さらに、図３および図５に示すように、第１の領域１７は、筐体６の上方に凸となるように筐体６の左右方向に沿って滑らかな円弧を描いて湾曲する曲面となっている。また、第１の領域１７の上下方向は、左右方向の中央部が最も上方に張り出し、左側や右側に向かうに従い下向きに傾斜するとともに、筐体６の上方に凸となるように筐体６の幅方向に沿って滑らかな円弧を描いて湾曲する曲面となっている。すなわち、図３に示す上方から見たリール本体５の後端（縁部）は左右方向に弧状に湾曲し、上面に当てた掌形状に合致する。
【００１７】
図４に示すように、第２の領域１８は、筐体６の中間部１９から筐体６の前方に進むに従い下向きに傾斜するとともに、筐体６の上方に凸となるように筐体６の前後方向に沿って滑らかな円弧を描いて湾曲する曲面となっている。なお、第１の領域１７は、第２の領域１８よりも急傾斜に形成されている。すなわち、リール本体５の上面６ａの後方側（第１の領域１７）の傾斜面（後側傾斜部）１７ａは、前方側（第２の領域１８）の傾斜面（前側傾斜部）１８ａより急な傾斜であり、後端側に向けて下る上方に凸状の湾曲面に形成されているとともに、左右方向にも中央を凸状の湾曲面に形成されている。
【００１８】
このことから、第１の領域１７と第２の領域１８との間の境界に位置する中間部１９は、リール本体５の上面６ａの中で筐体６の上方に最も張り出し、最も高い位置となる頂部２０を含んでいる。頂部２０は、筐体６の中間部１９において筐体６の左右方向に沿う中央部に位置している。言い換えると、筐体６の上面６ａは、頂部２０に向けて滑らかな円弧を描いて盛り上がっている。
【００１９】
よって、本実施の形態の筐体６は、例えば縦に切断した瓢箪の切断面を底面にして載置したような外観形状を有している。
【００２０】
図３に示すように、トップカバー８は、略円形の開口部２１を有している。開口部２１は、第２の領域１８の前半部分の中央部に位置している。第２の領域１８のうち開口部２１の左側に位置する部分は、第１の指置き部２２ａとなっている。同様に、第２の領域１８のうち開口部２１の右側に位置する部分は、第２の指置き部２２ｂとなっている。第１および第２の指置き部２２ａ，２２ｂは、開口部２１を間に挟んで筐体６の左右方向に振り分けられている。
【００２１】
第１の指置き部２２ａには、リール本体５の上面６ａに右手Ｈが載せられた場合に、右手Ｈの人指し指Ｈ２が載置される。第２の指置き部２２ｂには、リール本体５の上面６ａに右手Ｈが載せられた場合に、右手Ｈの中指Ｈ３が載置される。さらに、第１の指置き部２２ａには、リール本体５の上面６ａに左手Ｈが載せられた場合に、左手Ｈの中指Ｈ３が載置される。第２の指置き部２２ｂには、リール本体５の上面６ａに左手Ｈが載せられた場合に、左手Ｈの人指し指Ｈ２が載置される。
【００２２】
図４に左側の第１の指置き部２２ａを代表して示すように、第１の指置き部２２ａの前端は、下向きに湾曲されてロアケース７の前壁１１の上端と向かい合っている。第１の指置き部２２ａの前端と前壁１１の上端との間には隙間２３が形成されている。
【００２３】
したがって、例えば右手Ｈの人指し指Ｈ２で第１の指置き部２２ａを下向きに押圧すると、トップカバー８が有する可撓性により、第１の指置き部２２ａが隙間２３の分だけ沈み込むように弾性変形する。第１の指置き部２２ａの押圧を解除すると、第１の指置き部２２ａが元の位置に弾性的に復帰する。この結果、第１の指置き部２２ａの前端と前壁１１の上端との間に再び隙間２３が生じるようになっている。
【００２４】
上記のような隙間２３は、図示を省略するが第２の指置き部２２ｂの前端と前壁１１の上端との間にも形成されている。よって、例えば右手Ｈの中指Ｈ３で第２の指置き部２２ｂを下向きに押圧すると、第２の指置き部２２ｂが隙間２３の分だけ沈み込むように弾性変形する。  
なお、図３および図４等では、第１および第２の指置き部２２ａ，２２ｂが筐体６のトップカバー８に一体的に形成されているが、別体として形成されていることも好適である。
【００２５】
図３および図５に示すように、筐体６の側壁１０ａ，１０ｂは、夫々側面２４ａ，２４ｂを有している。側面２４ａ，２４ｂは、筐体６の左側方および右側方に露出している。筐体６の側面２４ａ，２４ｂには左右幅方向に向かって夫々凹む窪み部２５ａ，２５ｂが形成されている。窪み部２５ａ，２５ｂは、筐体６の前後方向に延びるとともに、その下端が底壁９に連続している。窪み部２５ａ，２５ｂはリール本体５の前後方向の中央側領域が最も深く窪んで形成され、リール本体５は、この部分が最も左右方向の幅が狭くなっている。特に、図３に示すように、リール本体５の幅は、前後方向の中央側領域の幅Ｗ３、前側領域の幅Ｗ２、後側領域の幅Ｗ１の順に次第に幅広となっている。  
なお、幅Ｗ１は第１の領域１７の最大幅部分を採り、幅Ｗ２は第２の領域１８の最大幅部分を採っている。一方、幅Ｗ３は、第１および第２の領域１７，１８の間の中間部１９の最小幅部分を採っている。ここで、リール本体５の最大幅Ｗ１は右手Ｈや左手Ｈの掌Ｐの幅よりも小さく、掌Ｐの母指球および小指球の両方が載置される程度であることが好ましい。このような大きさに形成すると、右手Ｈ又は左手Ｈをリール本体５の上面６ａに載置したときに手Ｈの滑りを防止しつつ確実にリール本体５を保持することができる。
【００２６】
また、リール本体５は上面６ａに掌Ｐを載置したときに親指Ｈ１と薬指Ｈ４および小指Ｈ５が魚釣用リール４の載置面（台３の上面３ａ）に接する高さに形成される。
【００２７】
また、図５に示すように、窪み部２５ａ，２５ｂは、前後方向だけでなく、上下方向にも凹んでいる。このため、窪み部２５ａ，２５ｂは、滑らかな曲面として形成されている。窪み部２５ａ，２５ｂは側面２４ａ，２４ｂの上側および下側の略中間が最も深く窪んだ状態にあり、上側や下側よりも幅狭に形成されている。
【００２８】
なお、筐体６の左側の窪み部２５ａは、例えば筐体６を右手Ｈで掴んだときに、右手Ｈの親指Ｈ１を宛がうためのものであり、側面２４ａのうち幅広の部分（後側領域（第１の領域１７）の最大幅Ｗ１、および、前側領域（第２の領域１８）の最大幅Ｗ２）よりも筐体６の内側に向けて凹んでいる。筐体６の右側の窪み部２５ｂは、例えば筐体６を右手Ｈで掴んだときに、右手Ｈの薬指Ｈ４および小指Ｈ５を宛がうためのものであり、側面２４ｂのうち最も幅広の部分（後側領域の最大幅Ｗ１および前側領域の最大幅Ｗ２）よりも筐体６の内側に向けて凹んでいる。これら窪み部２５ａ，２５ｂの最深部（最も凹んだ部分）は、図３に示すように、後述するスプール３４が配置された位置よりも後方側に設けられていることが好ましい。このように配置されることにより、例えば右手Ｈの親指Ｈ１、人差し指Ｈ２を自然に延ばしたときに、右手Ｈの親指Ｈ１が窪み部２５ａに、人差し指Ｈ２がスプール３４に配置される。なお、図３に示すように、右手Ｈの親指Ｈ１が配置される窪み部２５ａに前後方向の軸に対して略対称的な位置にある窪み部２５ｂに右手Ｈの薬指Ｈ４が自然な状態で配置される。
【００２９】
すなわち、窪み部２５ａ，２５ｂの深さ（左右方向の幅）は、リール本体５の側面２４ａ，２４ｂにて前後方向の中央側に向かって徐々に深く（左右方向の幅Ｗ３が小さく）なるように形成されて握持すると親指Ｈ１と薬指Ｈ４の指腹（指球）が合致する。また、この窪み部２５ａ，２５ｂは、上面側から底部（底壁９）に向けて急な下り傾斜で形成され、さらに、底部９に及んで延設されている。すなわち、側面２４ａ，２４ｂと底壁９とは窪み部２５ａ，２５ｂが形成された部分に対して上下方向に滑らかに連続している。このため、側面２４ａ，２４ｂの窪み部２５ａ，２５ｂに当てた手を底部９側の窪み部２５ａ，２５ｂに伸ばして差し入れる際に引っ掛かりなく、リール本体５を確実に握持できる。このように、リール本体５の左右幅はスイッチ等の付属部品を除く筐体６の左右幅で、その前後方向の中央側の幅Ｗ３が前側の幅Ｗ２や後側の幅Ｗ１よりも幅狭に形成され、幅狭部分（窪み部２５ａ，２５ｂ）に親指Ｈ１と薬指Ｈ４が収まってリール本体５を容易に持ち上げることができる。
【００３０】
図２および図３に示すように、筐体６のロアケース７の前端部に合成樹脂製の支持台２６がねじ止めされている。支持台２６は、竿受け部２７とスプール受け部２８とを備えている。
【００３１】
竿受け部２７は、筐体６の左右方向に沿う中央部に位置している。竿受け部２７は、筐体６の前方に向けて開口する支持孔２９を有するとともに、釣糸ガイド３０を支持している。釣糸ガイド３０は、竿受け部２７の上方に突出するように垂直に起立する待機位置（図２参照）と、この待機位置から筐体６の後方に倒れ込む動作位置（図６参照）との間で回動可能であり、常に待機位置に保持されている。
【００３２】
支持台２６のスプール受け部２８は、トップカバー８の開口部２１の下方において水平に配置されている。スプール受け部２８の外周縁部に円筒状の起立壁３１が形成されている。起立壁３１の上端は、開口部２１を取り囲むようにトップカバー８の下面に突き当たって、トップカバー８とスプール受け部２８との間を結んでいる。
【００３３】
図２に示すように、ロアケース７の底壁９にスプール軸３３が支持されている。スプール軸３３は、底壁９から垂直に起立するとともに、スプール受け部２８を貫通してスプール受け部２８の上に突出している。
【００３４】
スプール軸３３の上部に合成樹脂又は金属製のスプール３４が回転可能に支持されている。スプール３４は、リール本体５の前部において、リール本体５の左右方向の中央部に位置している。
【００３５】
スプール３４は、釣糸３５が巻き付けられる釣糸巻回胴部３６と、一対のフランジ３７ａ，３７ｂとを備えており、垂直なスプール軸３３を中心に回転するようになっている。フランジ３７ａ，３７ｂは、釣糸巻回胴部３６と同軸の円盤状をなすとともに、釣糸巻回胴部３６を間に挟んで上下方向に向かい合っている。一方のフランジ３７ａは、他のフランジ３７ｂよりも大径であり、この大径なフランジ３７ａがスプール受け部２８の上面の上に置かれている。
【００３６】
スプール軸３３は、釣糸巻回胴部３６を同軸状に貫通して他方のフランジ３７ｂの上に突出している。スプール軸３３の上端に袋ナット３８がねじ込まれている。袋ナット３８は、スプール受け部２８との間でスプール３４を挟み込んでおり、これによりスプール３４がリール本体５の前部に回転自在に支持されている。
【００３７】
スプール３４は、トップカバー８の開口部２１の内側に位置している。スプール３４の上端に位置する他方のフランジ３７ｂは、開口部２１を通じて筐体６の第２の領域１８に露出しているとともに、筐体６の上面６ａから僅かに突出している。
【００３８】
図３に示すように、第２の領域１８の第１および第２の指置き部２２ａ，２２ｂは、スプール３４の左側および右側に振り分けられている。そのため、第１および第２の指置き部２２ａ，２２ｂに人指し指Ｈ２および中指Ｈ３を載せたときに、スプール３４は、人指し指Ｈ２と中指Ｈ３との間に位置される。
【００３９】
さらに、図２に示すように、第１および第２の指置き部２２ａ，２２ｂは、魚釣用リール４を側方から見たときに、リール本体５の前方に進むに従い下向きに傾斜している。このため、スプール３４のフランジ３７ｂは、第１および第２の指置き部２２ａ，２２ｂの上方に張り出している。
【００４０】
図１および図２に示すように、竿受け部２７の支持孔２９に釣竿４０が嵌め込まれている。釣竿４０は、例えば全長が１５ｃｍ程度の短いものでよく、リール本体５の前端から前方に向けて水平に突き出ている。釣竿４０の外周面に複数の釣糸ガイド４１が取り付けられている。釣糸ガイド４１は、釣竿４０の長手方向に間隔を存して一列に並んでいる。スプール３４から繰り出された釣糸３５は、リール本体５の釣糸ガイド３０から釣竿４０の釣糸ガイド４１を経由して釣竿４０の先端に導かれた後、釣竿４０の先端から湖面１に開けた穴２を通じて水中に沈むようになっている。  
なお、釣糸３５の先端部には、重りあるいは撚りもどしのようなストッパ４２（図６参照）が取り付けられている。ストッパ４２は、釣竿４０の釣糸ガイド４１を通過可能であり、かつ魚釣用リール４の釣糸ガイド３０は通過できないような大きさを有している。
【００４１】
本実施の形態の魚釣用リール４は、好ましい例としてリール本体５に釣竿４０を装着しているが、この釣竿４０は必須の構成要素ではない。例えばリール本体５から釣竿４０を省略してもよいし、釣竿４０をリール本体５以外の場所、例えば台３に取り付けてもよい。
【００４２】
図２に示すように、筐体６のモータ収容室１３にはモータ４４が収容されている。モータ４４は、ステータおよびロータを収容するモータハウジング４５と、モータハウジング４５の前端から突出する金属製の出力軸４６とを有している。モータ４４は、出力軸４６を筐体６の前後方向に沿わせた横置きの姿勢でスプール３４の後方に設置されている。
【００４３】
モータ４４の出力軸４６は、スプール軸３３の直後に位置するとともに、このスプール軸３３と直交するような位置関係を保っている。出力軸４６の前端部は、スプール３４の一方のフランジ３７ａの下方に位置している。
【００４４】
出力軸４６の外周上には円筒状のトルク伝達部材４７が同軸状に取り付けられている。トルク伝達部材４７は、例えばスプール３４よりも柔らかい合成樹脂又はゴム状弾性体により形成されている。トルク伝達部材４７の外周面は、スプール３４のフランジ３７ａの下面に接している。
【００４５】
モータ４４のモータハウジング４５は、ピボット軸４８を有している。ピボット軸４８は、モータハウジング４５の後端に位置するとともに、出力軸４６と直交するように筐体６の左右方向に沿って水平に延びている。ピボット軸４８は、ロアケース７の軸受部４９に支持されている。
【００４６】
モータ４４は、ピボット軸４８を支点として、第１の位置と第２の位置との間で回動可能となっている。  
第１の位置では、図２に示すようにモータ４４の出力軸４６が筐体６の前後方向に沿って水平に延びており、トルク伝達部材４７の外周面がスプール３４のフランジ３７ａの下面に当接している。この当接により、モータ４４の出力軸４６とスプール３４との間が機械的に接続されるとともに、フランジ３７ａとトルク伝達部材４７との当接部分に摩擦抵抗が付与される。この結果、摩擦抵抗の存在によりスプール３４の自由な回転が阻止される。さらに、モータ４４が駆動されると、出力軸４６のトルクがトルク伝達部材４７を介してスプール３４に伝わり、スプール３４が釣糸３５を巻き取る方向に回転する。
【００４７】
一方、第２の位置では、図７に示すようにモータ４４の出力軸４６が前下がりとなって、トルク伝達部材４７の外周面がスプール３４のフランジ３７ａの下面から離れている。これにより、モータ４４の出力軸４６とスプール３４との機械的な接続が解除され、トルク伝達部材４７とスプール３４との間に摩擦抵抗が付与されることはない。よって、スプール３４は、自由な回転が許容されるフリーな状態に移行する。
【００４８】
モータ４４は、引っ張りコイルスプリング５０を介して常に第１の位置に向けて弾性的に付勢されている。したがって、モータ４４が第１の位置にある限り、トルク伝達部材４７の外周面がスプール３４のフランジ３７ａの下面に弾性的に押し付けられている。
【００４９】
筐体６のバッテリ収容部１４にモータ４４の駆動用電源となる二本の乾電池５２ａ，５２ｂが収容されている。図８に示すように、乾電池５２ａ，５２ｂの正極に夫々正側電源ライン５３ａ，５３ｂが接続されている。正側電源ライン５３ａ，５３ｂは、正側共通電源ライン５４を介してモータ４４の正側端子に接続されている。
【００５０】
乾電池５２ａ，５２ｂの負極に夫々負側電源ライン５５ａ，５５ｂが接続されている。負側電源ライン５５ａ，５５ｂは、負側共通電源ライン５６を介してモータ４４の負極端子に接続されている。そのため、各電源ライン５３ａ，５３ｂ，５４，５５ａ，５５ｂ，５６は、モータ４４を乾電池５２ａ，５２ｂに並列に接続する一つの電源回路５７を構成している。
【００５１】
正側電源ライン５３ａ，５３ｂと正側共通電源ライン５４との間には常開形の連続巻きスイッチ５８が接続されている。一方の正側電源ライン５３ａと正側共通電源ライン５４との間に常開形の第１の一時巻きスイッチ５９ａが接続されている。同様に、他方の正側電源ライン５３ｂと正側共通電源ライン５４との間に常開形の第２の一時巻きスイッチ５９ｂが接続されている。
【００５２】
図９から図１１に示すように、連続巻きスイッチ５８は、筐体６の内部に収容されている。図３に示すように、第１の一時巻きスイッチ５９ａは、筐体６の第１の指置き部２２ａの下方に配置されて、第１の指置き部２２ａによって開閉操作される。第２の一時巻きスイッチ５９ｂは、筐体６の第２の指置き部２２ｂの下方に配置されて、第２の指置き部２２ｂによって開閉操作される。
【００５３】
すなわち、図３に示すように、リール本体５の上面前方（第２の領域１８）側の傾斜面１８ａにはスプール３４を挟んでその両側にモータ４４の駆動スイッチ（押圧時のみモータを駆動する寸動スイッチ）５９ａ，５９ｂが設けられている。したがって、弾性変形が可能な第１および第２の指置き部２２ａ，２２ｂは、第１および第２の一時巻きスイッチ５９ａ，５９ｂを個別に操作する機能を兼ねている。
【００５４】
図２および図６から図８に示すように、正側共通電源ライン５４には常閉形の船べり停止スイッチ６０が配置されている。船べり停止スイッチ６０は、筐体６の前端に位置する釣糸ガイド３０と対向している。船べり停止スイッチ６０は、釣糸ガイド３０が待機位置（図２および図７参照）から動作位置（図６参照）に回動されたときに、釣糸ガイド３０によって開方向に操作される。
【００５５】
図２および図６から図８に示すように、負側共通電源ライン５６には常開形のメインスイッチ６１が配置されている。メインスイッチ６１は、筐体６の底壁９の下方に露出されて釣人が手の指先で操作し得るようになっている。そのため、本実施の形態では、メインスイッチ６１を閉じた状態で連続巻きスイッチ５８又は第１および第２の一時巻きスイッチ５９ａ，５９ｂを閉じると、乾電池５２ａ，５２ｂからモータ４４に電流が流れ、モータ４４が回転する。
【００５６】
図２および図６に示すように、モータ４４のトルクは、出力軸４６からトルク伝達部材４７に伝わる。トルク伝達部材４７は、引っ張りコイルスプリング５０の付勢力によりスプール３４のフランジ３７ａの下面に押し付けられているので、トルク伝達部材４７とフランジ３７ａとの間の接触部分に生じる摩擦力によりモータ４４のトルクがスプール３４に伝わる。
【００５７】
この結果、連続巻きスイッチ５８、第１の一時巻きスイッチ５９ａおよび第２の一時巻きスイッチ５９ｂのいずれを閉じた場合でも、スプール３４はモータ４４のトルクを受けて釣糸３５を巻き取る方向に回転する。
【００５８】
図２および図３に示すように、筐体６の中間部１９に合成樹脂製の切り換えレバー６３が配置されている。切り換えレバー６３は、釣人が右手Ｈ又は左手Ｈの指先で人為的に操作するスイッチ操作子の一例である。図９から図１１に示すように、切り換えレバー６３は、軸部６３ａ、指掛け用の舌片部６４、およびカム部６５を備えている。
【００５９】
図２に示すように、軸部６３ａは、筐体６の前後方向に水平に延びているとともに、スプール受け部２８の後端に形成されたブラケット６６と起立壁３１との間に回動可能に支持されている。軸部６３ａは、モータ４４の出力軸４６およびトルク伝達部材４７の真上に位置している。
【００６０】
図２および図３に示すように、舌片部６４は、筐体６の中間部１９とスプール３４との間に位置する。また、この舌片部６４は、図２、図６、図７、図９−図１１に示すように、トップカバー８に開けたスリット６７を貫通して筐体６の上面６ａの上に突出している。図９に示すように、舌片部６４の指を載せる上端は、スプール３４の上端に位置するフランジ３７ｂよりも高さｈだけ上方に位置している。さらに、図３に示すように、舌片部６４は、釣人が筐体６の上面６ａに右手Ｈを載せたときに、人指し指Ｈ２の付け根と中指Ｈ３の付け根とで規定されるＶ形の隙間６８に位置するようになっている。
【００６１】
図２に示すように、本実施の形態では、筐体６の上面６ａのうち切り換えレバー６３が位置する部分は、スプール３４の上端に位置するフランジ３７ｂと同じ高さ位置、又はフランジ３７ｂよりも僅かに上方に位置している。
【００６２】
図９から図１１に示すように、カム部６５は、外周縁部７０、第１のカムノーズ７１および第２のカムノーズ７２を備えている。外周縁部７０は、舌片部６４に対して軸部６３ａを間に挟んだ反対側に位置するとともに、軸部６３ａを中心とする円弧を描くように湾曲している。外周縁部７０は、トルク伝達部材４７の外周面との間に僅かな隙間を存してトルク伝達部材４７と向かい合っている。
【００６３】
第１のカムノーズ７１は、外周縁部７０の一端に位置している。第１のカムノーズ７１は、連続巻きスイッチ５８と向かい合うように、外周縁部の一端から軸部６３ａの径方向外側に向けて突出している。  
第２のカムノーズ７２は、外周縁部７０の他端に位置している。第２のカムノーズ７２は、軸部６３ａを中心とする円弧を描くように湾曲しているとともに、外周縁部７０よりも軸部６３ａの径方向外側に僅かに張り出している。外周縁部７０と第２のカムノーズ７２との境界部分には、トルク伝達部材４７の外周面に沿うように湾曲する段差７３が形成されている。
【００６４】
切り換えレバー６３は、軸部６３ａを支点として第１ないし第３の切り換え位置Ｐ１，Ｐ２，Ｐ３のいずれかの位置に選択的に回動操作される。図９は、切り換えレバー６３が第１の切り換え位置Ｐ１に回動された状態を開示している。第１の切り換え位置Ｐ１では、切り換えレバー６３の舌片部６４が垂直に起立するとともに、カム部６５の段差７３がトルク伝達部材４７の外周面に突き当たっている。
【００６５】
このとき、段差７３は、トルク伝達部材４７に対し単に上方から接しているだけであり、トルク伝達部材４７は、引っ張りコイルスプリング５０の付勢力を受けてスプール３４のフランジ３７ａに弾性的に押し付けられている。そのため、スプール３４は、フランジ３７ａとトルク伝達部材４７との間の接触部分に生じる摩擦抵抗により自由な回転が阻止されている。
【００６６】
さらに、第１の切り換え位置Ｐ１では、第１のカムノーズ７１が連続巻きスイッチ５８から離れている。よって、連続巻きスイッチ５８は開状態を維持している。
【００６７】
図１０は、切り換えレバー６３が第２の切り換え位置Ｐ２に回動された状態を開示している。第２の切り換え位置Ｐ２では、切り換えレバー６３の舌片部６４が筐体６の左側に倒されて、トルク伝達部材４７の外周面とカム部６５の外周縁部７０との接触位置が相対的に変化している。このとき、トルク伝達部材４７は、引っ張りコイルスプリング５０の付勢力を受けてスプール３４のフランジ３７ａに弾性的に押し付けられている。
【００６８】
さらに、第２の切り換え位置Ｐ２では、切り換えレバー６３の第１のカムノーズ７１が連続巻きスイッチ５８に接触し、第１のカムノーズ７１によって連続巻きスイッチ５８が閉じられる。したがって、メインスイッチ６１が閉じているときに、切り換えレバー６３を指先で第２の切り換え位置Ｐ２に保持しておけば、乾電池５２ａ，５２ｂからモータ４４に電流が流れて、スプール３４が釣糸３５を巻き取る方向に連続して回転される。
【００６９】
図１１は、切り換えレバー６３が第３の切り換え位置Ｐ３に移動された状態を開示している。第３の切り換え位置Ｐ３では、切り換えレバー６３の舌片部６４が筐体６の右側に倒されて、第１のカムノーズ７１が連続巻きスイッチ５８から上方に離脱している。そのため、連続巻きスイッチ５８が閉状態から開状態に移行し、モータ４４に対する電流の供給が断たれる。
【００７０】
それとともに、切り換えレバー６３の回動に伴い、第２のカムノーズ７２がトルク伝達部材４７の外周面に乗り上げ、トルク伝達部材４７を強制的に押し下げる。これにより、モータ４４がピボット軸４８を支点に第１の位置から第２の位置に向けて回動し、トルク伝達部材４７がスプール３４のフランジ３７ａから離脱する。よって、フランジ３７ａに作用する摩擦力が失われるので、スプール３４の自由な回転が許容され、スプール３４からの釣糸３５の繰り出しが可能となる。
【００７１】
切り換えレバー６３が第３の切り換え位置Ｐ３にあるときに、例えば右手Ｈの人指し指Ｈ２で第１の指置き部２２ａを押し下げて第１の一時巻きスイッチ５９ａを閉じると、乾電池５２ａ，５２ｂからモータ４４に電流が流れて、トルク伝達部材４７が図１１の矢印方向に回転する。
【００７２】
この回転により、トルク伝達部材４７と第２のカムノーズ７２との間の接触部分に生じる摩擦力により、切り換えレバー６３が軸部６３ａを中心に図１１の時計周り方向に回転する。よって、切り換えレバー６３が第３の切り換え位置Ｐ３から第１の切り換え位置Ｐ１に自動的に復帰し、トルク伝達部材４７の外周面がスプール３４のフランジ３７ａの下面に再び接触する。  
この結果、第１又は第２の一時巻きスイッチ５９ａ，５９ｂが閉じている限り、スプール３４が釣糸３５を巻き取る方向に回転する。
【００７３】
なお、リール本体５は後方側から手を差し出して握持され、釣竿４０を取り付けるとその重量や魚の引きによりリール本体５の前方が引かれる。このため、図２に示すように、リール本体５の重心Ｇは中央または中央より後端側に設けることが好ましい。このようにリール本体５の前後方向の中央またはそれよりも後端側に重心Ｇが配されることにより、重心Ｇがリール本体５の幅方向の幅狭の窪み部２５ａ，２５ｂの最深部と一致、又は略一致し、握持したリール本体５を持ち上げたときにバランスが良い。
【００７４】
このように形成された魚釣用リール４を用いて例えばワカサギを釣るに当たっては、リール本体５に釣竿４０を装着し、かつ釣糸３５に仕掛けをセットした後、メインスイッチ６１を閉じる。次に、魚釣用リール４を釣場に設置された台３の上に置き、筐体６の上面６ａに例えば右手Ｈを添えるように宛がう。
【００７５】
具体的には、上面６ａの第１の領域１７に右手Ｈの掌Ｐを当てるとともに、人指し指Ｈ２および中指Ｈ３を夫々第１および第２の指置き部２２ａ，２２ｂの上に載せる。さらに、親指Ｈ１の指球を筐体６の左側の窪み部２５ａに宛がうとともに、薬指Ｈ４および小指Ｈ５の指球を筐体６の右側の窪み部２５ｂに宛がい、右手Ｈで筐体６を全体的に包み込むように把持する。このとき、上面６ａの第１の領域１７の傾斜面１７ａとなった後側中央側から左側にズレた位置に右手Ｈの掌Ｐの母指球が当接され、右側にズレた位置に右手Ｈの掌Ｐの小指球が当接される。また、人差し指Ｈ２や中指Ｈ３の付け根の指間球が上面６ａの第１の領域１７に当接される。
【００７６】
このように、魚釣用リール４を右手Ｈの親指Ｈ１、薬指Ｈ４、小指Ｈ５だけでなく掌Ｐを使って保持することができる。そして、魚釣用リール４を保持する場合、第１および第２の指置き部２２ａ，２２ｂの上に載置した人差し指Ｈ２や中指Ｈ３も使うことができる。また、第１の領域１７、第２の領域１８には前後方向および左右方向の中間部１９にある頂部２０を頂点としてそれぞれ傾斜面１７ａ，１８ａが形成されているので、右手Ｈを緊張させて例えば掌Ｐを開いたり指Ｈ１〜Ｈ５を伸ばした状態ではなく、右手Ｈを緊張させない自然な状態の手の形に近い形で魚釣用リール４を包み込むことができる。このため、右手Ｈの掌Ｐ側の全体を使って魚釣用リール４を把持する際に、小さな力で魚釣用リールを把持することができ、右手Ｈの各部に掛かる負担をそれぞれ軽減できる。したがって、釣り人が魚釣用リール４を把持し続けることにより手Ｈに生じる疲労を防止、軽減できる。
【００７７】
なお、釣り人の手首を台３の上面３ａに載置した状態で、又は、手首を台３の上面３ａから離した状態で使用することができるが、釣り人の手首を台３の上面３ａに載置した状態で使用する方が手Ｈが安定し、疲労し難い。
【００７８】
次に、例えば人指し指Ｈ２で切り換えレバー６３を第３の切り換え位置Ｐ３に回動させる。この回動により、カム部６５の第２のカムノーズ７２によってトルク伝達部材４７が押し下げられ、トルク伝達部材４７がスプール３４のフランジ３７ａから離脱する。
【００７９】
この結果、スプール３４がフリーとなり、スプール３４に巻き付けられた釣糸３５が仕掛けにより引っ張られてスプール３４から繰り出されるとともに、仕掛けが湖面１に開けた穴２から水中に沈降される。
【００８０】
仕掛けが狙った水深に達したところで、例えば人指し指Ｈ２で切り換えレバー６３を第３の切り換え位置Ｐ３から第１の切り換え位置Ｐ１に戻す。これにより、引っ張りコイルスプリング５０の付勢力によりトルク伝達部材４７がスプール３４のフランジ３７ａに押し付けられ、スプール３４の自由な回転が制限される。この結果、スプール３４からの釣糸３５の繰り出しが停止されるので、このままの状態でアタリを待つ。
【００８１】
このとき、人指し指Ｈ２又は中指Ｈ３でトップカバー８の第１の指置き部２２ａ又は第２の指置き部２２ｂを押し下げると、第１の一時巻きスイッチ５９ａ又は第２の一時巻きスイッチ５９ｂが閉じる。そのため、第１の指置き部２２ａ又は第２の指置き部２２ｂを押し下げている限り、スプール３４が釣糸３５を巻き取る方向に回転するので、釣糸３５の弛みを除去することができる。
【００８２】
アタリを待つとき、釣人は台３の上に置かれた魚釣用リール４のリール本体５を右手Ｈで握ったまま、リール本体５を左右に動かしたり、あるいはリール本体５を上下に振るように動かしてリール本体５で台３の上面３ａを叩き、水中の仕掛けを動かすことによりワカサギを誘う。
【００８３】
アタリが来たら、右手Ｈで把持したリール本体５を持ち上げて合わせる。仕掛けにワカサギが掛かった段階で、例えば人指し指Ｈ２で切り換えレバー６３を第１の切り換え位置Ｐ１から第２の切り換え位置Ｐ２に回動させ、切り換えレバー６３の第１のカムノーズ７１で連続巻きスイッチ５８を閉じる。あるいは、人指し指Ｈ２又は中指Ｈ３でトップカバー８の第１の指置き部２２ａ又は第２の指置き部２２ｂを押し続けて、第１の一時巻きスイッチ５９ａ又は第２の一時巻きスイッチ５９ｂを閉じる。
【００８４】
この結果、スプール３４がモータ４４を介して釣糸３５を巻き取る方向（図の矢印方向）に回転（正転）し、水中の仕掛けが次第に引き上げられる。
【００８５】
釣糸３５をスプール３４に巻き取っているときに、釣糸３５の先端側に位置する重りや撚り戻しのようなストッパ４２が魚釣用リール４の直前に達すると、図６に示すように、ストッパ４２が待機位置に保持された釣糸ガイド３０を通過できずに、この釣糸ガイド３０に引っ掛かる。このため、釣糸ガイド３０が釣糸３５の巻き取り動作に追従して待機位置から動作位置に向けて倒れ込む。釣糸ガイド３０が動作位置に達すると、この釣糸ガイド３０によって船べり停止スイッチ６０が開かれ、モータ４４に対する電流の供給が断たれる。この結果、釣糸３５の巻き取りが停止され、仕掛けはスプール３４に巻き込まれることなく魚釣用リール４の直前で停止する。
【００８６】
仕掛けがスプール３４の直前で停止したり、あるいは釣人が仕掛けの引き上げを確認したら、例えば人指し指Ｈ２で切り換えレバー６３を第２の切り換え位置Ｐ２から第１の切り換え位置Ｐ１に回動させ、スプール３４の自由な回転を制限する。最後に仕掛けを手で摘み上げて、仕掛けに掛かったワカサギを取り外す。
【００８７】
このような本発明の一実施の形態によれば、モータ４４を介して釣糸３５を巻き取る方向にスプール３４を回転させる操作およびスプール３４の自由な回転を許容したり、スプール３４の自由な回転を阻止する操作を、一つの切り換えレバー６３を回動させることで実行できる。
【００８８】
この際、切り換えレバー６３の舌片部６４は、リール本体５の上面６ａにおいてスプール３４の直後に位置するとともに、スプール３４の上端に位置するフランジ３７ｂよりも上方に飛び出ている。このため、切り換えレバー６３を右手Ｈの人差し指Ｈ２の指先で第３の切り換え位置Ｐ３に回動させて、スプール３４から釣糸３５を繰り出している最中に、仕掛けの沈降速度を遅くしたり、スプール３４の空回りを防止する必要が生じたときには、切り換えレバー６３の舌片部６４に添えていた右手Ｈの人差し指Ｈ２の指先を単に前方にずらすだけで、この指先がスプール３４のフランジ３７ｂに届く。
【００８９】
同様に、切り換えレバー６３を右手Ｈの人差し指Ｈ２の指先で第２の切り換え位置Ｐ２に回動させて、釣糸３５を巻き取る方向にスプール３４を回転させている最中に、例えば仕掛けに掛かったワカサギの口切れを防止するためスプール３４の回転を遅くする必要が生じたときには、切り換えレバー６３の舌片部６４に添えていた右手Ｈの人差し指Ｈ２の指先を単に前方にずらすだけで、この指先の指球がスプール３４のフランジ３７ｂに届く。
【００９０】
また、窪み部２５ａ，２５ｂの最深部はスプール３４又は上面６ａに配した第１の一時巻きスイッチ５９ａ、第２の一時巻きスイッチ５９ｂ、切り換えレバー６３などのスイッチ類より後方側に設けられており、親指Ｈ１や薬指Ｈ４、小指Ｈ５をリール本体５の側面２４ａ，２４ｂの窪み部２５ａ，２５ｂに配置してリール４を握持すると、中指と人差し指がリール本体５の上面６ａの前側に向かって伸びる。
【００９１】
このため、指先の移動範囲が少なくて済み、釣糸３５の繰り出し時、および巻き取り時のいずれにおいても、手の指先を素早く切り換えレバー６３からフランジ３７ｂに移動させて、的確なタイミングでサミング操作に移行することができる。すなわち、手の指先でスプール３４の回転を規制することで、仕掛けの沈下速度や引き上げ速度を自由に調節することができる。
【００９２】
したがって、切り換えレバー６３の回動操作など上面６ａなどのスイッチ類の操作およびサミング操作を連続した一つの動作で素早く行うことができ、魚釣用リール４の操作性が格段に向上する。
【００９３】
さらに、上記構成の魚釣用リール４によると、リール本体５の筐体６の上面６ａの第１の領域１７は、筐体６の後端から切り換えレバー６３に向けて滑らかな円弧を描いて上向きに傾斜している。そのため、釣人が右手Ｈ又は左手Ｈを魚釣用リール４の後方から差し出して、指を前方に向けた状態で掌Ｐを上面６ａの第１の領域１７に宛がったときに、手首が不自然な姿勢に持ち上がったり、折れ曲がることはない。
【００９４】
すなわち、掌Ｐが第１の領域１７の傾斜に合うように前方（指の方向）に上向きに傾斜した状態となって、掌Ｐを筐体６の上面６ａで自然に受け止めることができる。これにより、指の付け根が前方に上向きとなって、上面６ａに対し指を動かす余裕（空間）を確保することができる。よって、人指し指Ｈ２および中指Ｈ３を上下に動かし易くなり、切り換えレバー６３、第１の指置き部２２ａおよび第２の指置き部２２ｂの操作性が良好となる。
【００９５】
それとともに、切り換えレバー６３又は第１および第２の指置き部２２ａ，２２ｂに添えていた指先をスプール３４のフランジ３７ｂに移動させる際の操作性も良好となり、使い易い魚釣用リール４を提供できる。
【００９６】
さらに、魚釣用リール４を掌Ｐをその前方の指の方向が上向きとなるように宛がって把持できるため、この魚釣用リール４をしっかりと支えることができる。そのため、魚釣用リール４を水の中に落としてしまうといった不具合を回避できる。
【００９７】
加えて、トップカバー８の第１および第２の指置き部２２ａ，２２ｂは、前方に進むに従い下向きに傾斜している。このため、第１および第２の指置き部２２ａ，２２ｂに人指し指Ｈ２および中指Ｈ３を宛がうことで、リール本体５の前部を台３の上面３ａにしっかりと押さえ付けることができる。この結果、リール本体５を安定した姿勢で把持することができ、リール本体５を台３の上で左右に動かしたり、上下に振る操作を容易に行なうことができる。  
したがって、魚釣用リール４の操作性が良好となり、アタリに対して素早い対応が可能となる。
【００９８】
さらに、前後方向中央側の左右方向の幅を前側や後側よりも狭くしたことにより、後ろ側に掌Ｐを宛がって魚釣用リール４を保持する際に、幅狭部分に親指Ｈ１や薬指Ｈ４、小指Ｈ５を配置できる。このため、魚釣用リール４を手で包み込むように保持でき、持ち上げることができる。このように魚釣用リール４が形成されているので、長時間魚釣りを行っても、疲労することを防止できる。
【００９９】
特に、リール本体５の前後方向中央側の幅狭部分（幅Ｗ３の部分）に窪み部２５ａ，２５ｂを配置することによって、親指Ｈ１や薬指Ｈ４、小指Ｈ５の指腹を窪み部２５ａ，２５ｂに密着させることができる。すなわち、筐体６の左右の側面２４ａ，２４ｂに形成された窪み部２５ａ，２５ｂに親指Ｈ１、薬指Ｈ４および小指Ｈ５を宛がうことで、筐体６を右手Ｈ又は左手Ｈで確実に掴むことができる。特に筐体６を台３の上から持ち上げようとした場合に、窪み部２５ａ，２５ｂに親指Ｈ１、薬指Ｈ４および小指Ｈ５が引っ掛かるので、魚釣用リール４が右手Ｈ又は左手Ｈから脱落し難くなり、素早い手の動きに対しても無理なく対応することができ、魚釣用リール４の保持が容易となる。
【０１００】
また、窪み部２５ａ，２５ｂを底壁９と連続的に形成したことによって、リール本体５の上面６ａに当てた手の指を魚釣用リール４の底部まで回して差し入れることができる。このため、魚釣用リール４のリール本体５の側面２４ａ，２４ｂを保持する場合であっても、底壁９を保持する場合であっても、確実に保持できる。この場合であっても、リール本体５の前後方向の幅狭部分に親指Ｈ１や薬指Ｈ４、小指Ｈ５が宛がわれるので、魚釣用リール４を容易に保持できる。
【０１０１】
リール本体５の左右幅は、前端側よりも後端側の方が幅広に形成され掌Ｐで十分に握持できるようにしているが、後端側よりも前端側を幅広に形成すればリール本体５の上面６ａの指の載せ場２２ａ，２２ｂを大きくすることができるので、指が疲れ難く、スムースなスイッチ操作ができる。
【０１０２】
さらに、この実施の形態では、魚釣用リール４の重心Ｇを前後方向中央又はそれよりもやや後側に配置したので、魚釣りの際に竿４０を取り付けて用いる際に、リール本体５の前方側に引かれても、バランスが良い状態を維持できる。また、重心Ｇの前後方向の位置を窪み部２５ａ，２５ｂの最深部と一致させると、魚釣用リール４を握持したり持ち上げたりするときにバランスが良い。
【０１０３】
本発明は上記実施の形態に特定されるものではなく、発明の主旨を逸脱しない範囲内で種々変形して実施可能である。
【０１０４】
例えばスイッチ操作子は、左右に動かすレバーに限らず、前後に動かすレバーとしてもよい。それとともに、スイッチ操作子は、回動操作の他、スライド操作するものや、上下に押圧操作するものであってもよい。
【０１０５】
本実施の形態に係る魚釣用リール４において、スプール３４の左右両側に位置する第１および第２の一時巻きスイッチ５９ａ，５９ｂは必須の構成要素ではなく、適宜省略することができる。
【０１０６】
さらに、上記実施の形態では、リール本体５の底壁９に脚１６ａ，１６ｂを設けて、これら脚１６ａ，１６ｂを台３の上面３ａに接触させているが、脚１６ａ，１６ｂを省略してリール本体５の底壁９を台３の上面３ａに直に接触させ、この底壁９を接地部として利用するようにしてもよい。
【図面の簡単な説明】
【０１０７】
【図１】本発明の一実施の形態において、魚釣用リールを台の上に置いて使用している状態を示す側面図。
【図２】本発明の一実施の形態に係る魚釣用リールの断面図。
【図３】本発明の一実施の形態に係る魚釣用リールの平面図。
【図４】本発明の一実施の形態において、魚釣用リールを台の上に置いて使用している状態を示す側面図。
【図５】図４中のＡ−Ａ線に沿う魚釣用リールの断面図。
【図６】本発明の一実施の形態において、リール本体の前端に位置する釣糸ガイドに釣糸上のストッパが引っ掛かった状態を示す魚釣用リールの断面図。
【図７】本発明の一実施の形態において、切り換えレバーによりトルク伝達部材が押し下げられて、トルク伝達部材がスプールから切り離された状態を示す魚釣用リールの断面図。
【図８】本発明の一実施の形態において、モータの駆動系統を示す回路図。
【図９】本発明の一実施の形態において、切り換えレバーが第１の切り換え位置に回動された状態を示す魚釣用リールの断面図。
【図１０】本発明の一実施の形態において、切り換えレバーが第１の切り換え位置に回動された状態を示す魚釣用リールの断面図。
【図１１】本発明の一実施の形態において、切り換えレバーが第３の切り換え位置に回動された状態を示す断面図。
【符号の説明】
【０１０８】
４…魚釣用リール、５…リール本体、６…筐体、６ａ…上面、８…トップカバー、１０ａ，１０ｂ…側壁、１７…第１の領域、１７ａ…傾斜面、１８…第２の領域、１８ａ…傾斜面、１９…中間部、２０…頂部、２１…開口部、２２ａ…第１の指置き部、２２ｂ…第２の指置き部、２４ａ，２４ｂ…側面、２５ａ，２５ｂ…窪み部、２６…支持台、３０…釣糸ガイド、３４…スプール、３７ｂ…フランジ、３８…袋ナット、４０…釣竿、５９ａ…第１の一時巻きスイッチ、５９ｂ…第２の一時巻きスイッチ、６３…レバー、６４…舌片部。
【図１】
2010154781.tif 000003
【図２】
2010154781.tif 000004
【図３】
2010154781.tif 000005
【図４】
2010154781.tif 000006
【図５】
2010154781.tif 000007
【図６】
2010154781.tif 000008
【図７】
2010154781.tif 000009
【図８】
2010154781.tif 000010
【図９】
2010154781.tif 000011
【図１０】
2010154781.tif 000012
【図１１】
2010154781.tif 000013